(57)【要約】【課題】逐次複数の測定場所に設置されたセンサ本体に接続して使用する端末が、当該センサ本体から受信する測定データを、自動的に当該測定場所毎に整理して記憶しておくことができるようにする。【解決手段】第１の通信インターフェイス１２又は接続ケーブル１３を介してセンサ本体１０が中継装置１１に接続され、第２の通信インターフェイス３０を介して中継装置１１と端末２０とが逐次選択的に接続される。センサ本体１０には測定場所を識別するための測定場所識別データが記憶され、中継装置１１にはセンサ本体１０によって検出される測定データと比較するための比較測定データが記憶される。端末２０は、中継装置１１と接続されると、センサ本体１０から測定データを受信する際に測定場所識別データを受信して、この測定データを測定場所識別データに関連付けて記憶する。【選択図】図１
2008171284.tif 000002
【特許請求の範囲】
【請求項１】
第１の通信インターフェイスを介して接続可能なセンサ本体及び中継装置と、第２の通信インターフェイスを介して前記中継装置と接続可能な端末と、を含むセンサシステムであって、
前記センサ本体は、前記センサ本体による測定場所を識別するための測定場所識別データを記憶する手段を備え、
前記中継装置は、前記第１の通信インターフェイスを介して接続された前記センサ本体が検出する測定データと比較するための比較測定データを記憶する手段を備え、
前記端末は、前記第２の通信インターフェイスを介して前記中継装置と接続したことに応じて、前記センサ本体が検出した測定データを前記センサ本体から前記中継装置を介して受信する際に、前記測定場所識別データを更に前記センサ本体から前記中継装置を介して受信する手段と、
受信した前記測定データを、受信した前記測定場所識別データに関連付けて記憶する手段と、
前記端末のユーザからの操作を受け付けたことに応じて、前記比較測定データを前記中継装置から受信する手段と、
受信した前記比較測定データを出力する手段と、を備えるセンサシステム。
【請求項２】
前記中継装置は、前記第１の通信インターフェイスにより、前記センサ本体が設置された測定環境の外側に配置して接続可能である、請求項１に記載のセンサシステム。
【請求項３】
前記センサ本体は、前記センサ本体を識別するためのセンサ識別データを記憶する手段を更に備え、
前記端末は、前記測定データを増幅して記憶するための感度データを前記センサ識別データに関連付けて記憶する手段と、
前記第２の通信インターフェイスを介して前記センサ本体が接続したことに応じて、前記センサ本体が検出した測定データを前記センサ本体から前記中継装置を介して受信する際に、前記センサ識別データを更に前記センサ本体から前記中継装置を介して受信する手段と、
受信した前記測定データを、受信した前記センサ識別データに基づいて、記憶した前記感度データに基づいて増幅して前記測定場所識別データに関連付けて記憶する手段と、を更に備える請求項１又は請求項２に記載のセンサシステム。
【請求項４】
前記端末は、前記端末のユーザから、前記測定場所識別データをキーとして、記憶した前記測定データの選択操作を受け付けたことに応じて、前記選択操作により選択された前記測定データを出力する手段を更に備える請求項１から請求項３のいずれかに記載のセンサシステム。
【請求項５】
接続ケーブルを介して接続可能なセンサ本体及び中継装置と、第２の通信インターフェイスを介して前記中継装置と接続可能な端末と、を含むセンサシステムであって、
前記中継装置は、前記接続ケーブルを介して接続された前記センサ本体による測定場所を識別するための測定場所識別データを記憶する手段と、前記センサ本体が検出する測定データと比較するための比較測定データを記憶する手段を備え、
前記端末は、前記第２の通信インターフェイスを介して前記中継装置と接続したことに応じて、前記センサ本体が検出した測定データを前記センサ本体から前記中継装置を介して受信する際に、前記測定場所識別データを更に前記中継装置から受信する手段と、
受信した前記測定データを、受信した前記測定場所識別データに関連付けて記憶する手段と、
前記端末のユーザからの操作を受け付けたことに応じて、前記比較測定データを前記中継装置から受信する手段と、
受信した前記比較測定データを出力する手段と、を備えるセンサシステム。
【請求項６】
前記中継装置は、前記接続ケーブルにより、前記センサ本体が設置された測定環境の外側に配置して接続可能である、請求項５に記載のセンサシステム。
【請求項７】
前記中継装置は、前記接続ケーブルを介して接続された前記センサ本体を識別するためのセンサ識別データを記憶する手段を更に備え、
前記端末は、前記測定データを増幅して記憶するための感度データを前記センサ識別データに関連付けて記憶する手段と、
前記第２の通信インターフェイスを介して前記センサ本体が接続したことに応じて、前記センサ本体が検出した測定データを前記センサ本体から前記中継装置を介して受信する際に、前記センサ識別データを更に前記中継装置から受信する手段と、
受信した前記測定データを、受信した前記センサ識別データに基づいて、記憶した前記感度データに基づいて増幅して前記測定場所識別データに関連付けて記憶する手段と、を更に備える請求項５又は請求項６に記載のセンサシステム。
【請求項８】
前記端末は、前記端末のユーザから、前記測定場所識別データをキーとして、記憶した前記測定データの選択操作を受け付けたことに応じて、前記選択操作により選択された前記測定データを出力する手段を更に備える請求項５から請求項７のいずれかに記載のセンサシステム。
【請求項９】
第１の通信インターフェイスを介して接続可能なセンサ本体及び中継装置と、第２の通信インターフェイスを介して前記中継装置と接続可能な端末と、を含むセンサシステムが測定する方法であって、
前記センサ本体は、前記センサ本体による測定場所を識別するための測定場所識別データを記憶する手段を備え、
前記中継装置は、前記第１の通信インターフェイスを介して接続された前記センサ本体が検出する測定データと比較するための比較測定データを記憶する手段を備え、
前記端末が、前記第２の通信インターフェイスを介して前記中継装置と接続したことに応じて、前記センサ本体が検出した測定データを前記センサ本体から前記中継装置を介して受信する際に、前記測定場所識別データを更に前記センサ本体から前記中継装置を介して受信するステップと、
受信した前記測定データを、受信した前記測定場所識別データに関連付けて記憶するステップと、
前記端末のユーザからの操作を受け付けたことに応じて、前記比較測定データを前記中継装置から受信するステップと、
受信した前記比較測定データを出力するステップと、を含む方法。
【請求項１０】
前記中継装置は、前記第１の通信インターフェイスにより、前記センサ本体が設置された測定環境の外側に配置して接続可能である、請求項９に記載の方法。
【請求項１１】
前記センサ本体は、前記センサ本体を識別するためのセンサ識別データを記憶する手段を更に備え、前記端末が、前記測定データを増幅して記憶するための感度データを前記センサ識別データに関連付けて記憶するステップと、
前記第２の通信インターフェイスを介して前記センサ本体が接続したことに応じて、前記センサ本体が検出した測定データを前記センサ本体から前記中継装置を介して受信する際に、前記センサ識別データを更に前記センサ本体から前記中継装置を介して受信するステップと、
受信した前記測定データを、受信した前記センサ識別データに基づいて、記憶した前記感度データに基づいて増幅して前記測定場所識別データに関連付けて記憶するステップと、を更に含む請求項９又は請求項１０に記載の方法。
【請求項１２】
前記端末が、前記端末のユーザから、前記測定場所識別データをキーとして、記憶した前記測定データの選択操作を受け付けたことに応じて、前記選択操作により選択された前記測定データを出力するステップを更に含む請求項９から請求項１１のいずれかに記載の方法。
【請求項１３】
接続ケーブルを介して接続可能なセンサ本体及び中継装置と、第２の通信インターフェイスを介して前記中継装置と接続可能な端末と、を含むセンサシステムが測定する方法であって、
前記中継装置は、前記接続ケーブルを介して接続された前記センサ本体による測定場所を識別するための測定場所識別データを記憶する手段と、前記センサ本体が検出する測定データと比較するための比較測定データを記憶する手段を備え、
前記端末が、前記第２の通信インターフェイスを介して前記中継装置と接続したことに応じて、前記センサ本体が検出した測定データを前記センサ本体から前記中継装置を介して受信する際に、前記測定場所識別データを更に前記中継装置から受信するステップと、
受信した前記測定データを、受信した前記測定場所識別データに関連付けて記憶するステップと、
前記端末のユーザからの操作を受け付けたことに応じて、前記比較測定データを前記中継装置から受信するステップと、
受信した前記比較測定データを出力するステップと、を備える方法。
【請求項１４】
前記中継装置は、前記接続ケーブルにより、前記センサ本体が設置された測定環境の外側に配置して接続可能である、請求項１３に記載の方法。
【請求項１５】
前記中継装置は、前記接続ケーブルを介して接続された前記センサ本体を識別するためのセンサ識別データを記憶する手段を更に備え、
前記端末が、前記測定データを増幅して記憶するための感度データを前記センサ識別データに関連付けて記憶するステップと、
前記第２の通信インターフェイスを介して前記センサ本体が接続したことに応じて、前記センサ本体が検出した測定データを前記センサ本体から前記中継装置を介して受信する際に、前記センサ識別データを更に前記中継装置から受信するステップと、
受信した前記測定データを、受信した前記センサ識別データに基づいて、記憶した前記感度データに基づいて増幅して前記測定場所識別データに関連付けて記憶するステップと、を更に含む請求項１３又は請求項１４に記載の方法。
【請求項１６】
前記端末が、前記端末のユーザから、前記測定場所識別データをキーとして、記憶した前記測定データの選択操作を受け付けたことに応じて、前記選択操作により選択された前記測定データを出力するステップを更に含む請求項１３から請求項１５のいずれかに記載の方法。
【発明の詳細な説明】
【技術分野】
【０００１】
本発明は、センサシステム及び当該センサシステムによる測定方法に関する。
【背景技術】
【０００２】
自動車や電気製品等の設計・開発において、振動センサや音響センサを用いて各部の振動や騒音を測定し、静粛性を高めるための研究が行われている。或いは、工場等において、生産設備等の点検・メンテナンスを行う際にも、振動センサや音響センサを用いて異常音がないかを定期的に点検することによって、当該生産設備等が実際に故障等により停止する前に適切なメンテナンスを行うことが行われている。
【０００３】
このような状況において、複数のセンサ本体を予め様々な場所に設置しておき、測定者がディスプレイ等を備えたハンディターミナル等の端末を逐次当該複数のセンサ本体に接続し、振動や騒音を測定することがある。
【０００４】
上述のような測定を行うに当たって、当該端末は、各センサ本体から受信するアナログ信号を、当該センサ本体の感度に応じて、アンプにより適度に増幅して当該アナログ信号に応じた波形等をディスプレイに出力する必要がある。
【０００５】
このような感度調整を自動的に行うために、ＴＥＤＳ（Ｔｒａｎｓｄｕｃｅｒ  Ｅｌｅｃｔｒｏｎｉｃ  Ｄａｔａ  Ｓｈｅｅｔ）センサが活用されている。ＴＥＤＳセンサとは、センサ内部の不揮発性メモリにセンサ固有の情報を記憶させておくセンサの総称であり、工場出荷時には、センサ情報として、メーカ名、センサの種類、型式、シリアル番号、構成地等の情報を記憶しておく。なお、ＴＥＤＳ技術は、ＩＥＥＥ  Ｐ１４５１  Ｓｍａｒｔ  Ｔｒａｎｓｄｕｃｅｒ  Ｉｎｔｅｒｆａｃｅ規格に規定されている。
【０００６】
上述の規格に適合するＴＥＤＳセンサは、どのメーカのものであっても、同様に同規格に適合するＴＥＤＳコンディショナにより動作可能であり、当該ＴＥＤＳコンディショナを内蔵した端末であれば、当該ＴＥＤＳセンサ（センサ本体）に接続したことに応じて自動的にセンサ情報を当該ＴＥＤＳセンサ（センサ本体）の不揮発性メモリから読み出して感度調節を行うことができる。
【０００７】
例えば、特許文献１においては、測定データと測定箇所との関連付けを行うため、各測定座に、固体識別情報を設定する設定手段とその固体識別情報を信号に変換する変換手段とを設けるとともに、その信号に応じて発光する発光手段を設けて、データ収集器側に、発光手段からの光を受光する受光手段とその受光信号の示す固体識別情報を解読する解読手段とを設けるようにしたものがある。
【特許文献１】特開平１１−１４４１８０号公報
【発明の開示】
【発明が解決しようとする課題】
【０００８】
しかしながら、特許文献１に記載された発明によっても、逐次複数の測定場所に設置されたセンサ本体に接続して使用する端末が、当該複数の測定場所に設置されたセンサ本体から受信する測定データを、自動的に当該測定場所毎に整理して記憶しておくことはできない。
【０００９】
そこで、本発明は、逐次複数の測定場所に設置されたセンサ本体に接続して使用する端末が、当該複数の測定場所に設置されたセンサ本体から受信する測定データを、自動的に当該測定場所毎に整理して記憶しておくことができるセンサシステム及び当該センサシステムにより測定する方法を提供することを目的とする。
【課題を解決するための手段】
【００１０】
上述の目的を達成するために、本発明者らは研究を重ね、本発明を完成するに至った。具体的には、本発明は以下のようなものを提供する。
【００１１】
（１）  第１の通信インターフェイス（第１の通信インターフェイス１２）を介して接続可能なセンサ本体（センサ本体１０）及び中継装置（中継装置１１）と、第２の通信インターフェイス（第２の通信インターフェイス３０）を介して前記中継装置と接続可能な端末（端末２０）と、を含むセンサシステムであって、
前記センサ本体は、前記センサ本体による測定場所を識別するための測定場所識別データ（測定点番号、測定点名称等）を記憶する手段を備え、
前記中継装置は、前記第１の通信インターフェイスを介して接続された前記センサ本体が検出する測定データと比較するための比較測定データを記憶する手段を備え、
前記端末は、前記第２の通信インターフェイスを介して前記中継装置と接続したことに応じて、前記センサ本体が検出した測定データを前記センサ本体から前記中継装置を介して受信する際に、前記測定場所識別データを更に前記センサ本体から前記中継装置を介して受信する手段と、
受信した前記測定データを、受信した前記測定場所識別データに関連付けて記憶する手段と、
前記端末のユーザからの操作を受け付けたことに応じて、前記比較測定データを前記中継装置から受信する手段と、
受信した前記比較測定データを出力する手段と、を備えるセンサシステム。
【００１２】
本発明のこのような構成によれば、前記センサ本体は、前記センサ本体による測定場所を識別するための測定場所識別データ（測定点番号、測定点名称等）を記憶し、前記中継装置は、前記第１の通信インターフェイスを介して接続された前記センサ本体が検出する測定データと比較するための比較測定データを記憶し、前記端末は、前記第２の通信インターフェイスを介して前記中継装置と接続したことに応じて、前記センサ本体が検出した測定データを前記センサ本体から前記中継装置を介して受信する際に、前記測定場所識別データを更に前記センサ本体から前記中継装置を介して受信し、受信した前記測定データを、受信した前記測定場所識別データに関連付けて記憶し、前記端末のユーザからの操作を受け付けたことに応じて、前記比較測定データを前記中継装置から受信し、受信した前記比較測定データを出力することができる、という作用を有する。
【００１３】
このことにより、前記端末は、前記センサ本体から受信した前記測定場所識別データに基づいて、受信した前記測定場所識別データを受信した測定データと関連付けて記憶するとともに、前記端末のユーザからの操作を受け付けたことに応じて、前記中継装置から受信した前記比較測定データを出力することができる。
【００１４】
その結果、前記端末は、異なる測定場所に設置された複数種類のセンサ本体に逐次接続されて測定の用に供された場合にも、その都度測定場所識別データを前記センサ本体から受信して、当該測定場所識別データに関連付けて測定データを記憶するとともに、前記端末のユーザからの操作を受け付けたことに応じて、前記中継装置から受信した前記比較測定データを出力することができる。
【００１５】
このように、前記端末は、上述の一連の測定作業の終了後、測定データを分析等の用に供する際に、自動的に測定場所毎に整理された状態で測定データを提供することができるとともに、上述の一連の測定作業の際に、前記端末のユーザに対して、必要に応じて前記測定データと比較するための比較測定データを出力することができる。
【００１６】
前記端末は、当該出力の方法として、ディスプレイ（表示部２４０）に前記測定データに基づく波形を表示してもよいし、スピーカ（スピーカ部２６０）から例えば音響センサから受信した音のファイルを再生して出力してもよい。
【００１７】
従って、前記端末のユーザは、どの端末を使用しても、前記センサ本体及び前記中継装置から測定に必要なデータを受信して自動的に測定を開始し、必要に応じて前記端末を操作することにより、例えば、正常／異常を判断するための基準となる測定データを前記比較測定データとして前記中継装置から受信して前記端末に出力させることができる。
【００１８】
（２）  前記中継装置は、前記第１の通信インターフェイスにより、前記センサ本体が設置された測定環境の外側に配置して接続可能である、（１）に記載のセンサシステム。
【００１９】
本発明のこのような構成によれば、前記中継装置は、前記第１の通信インターフェイスにより、前記センサ本体が設置された測定環境の外側に配置して接続可能である、という作用を有する。
【００２０】
このことにより、前記中継装置は、前記第１の通信インターフェイスにより、例えば温度条件において前記比較測定データを記憶する手段が耐えられないような前記測定環境の外側に位置しつつ、前記センサ本体と接続することができる。
【００２１】
ここで、前記第１の通信インターフェイスは、前記測定環境に配置された前記センサ本体と前記測定環境の外側に配置された前記中継装置とを接続するために十分な長さを備えた通信ケーブル等により実現することができる。
【００２２】
（３）  前記センサ本体は、前記センサ本体を識別するためのセンサ識別データ（メーカ名、センサの種類、型式、製造番号、校正値等）を記憶する手段を更に備え、
前記端末は、前記測定データを増幅して記憶するための感度データを前記センサ識別データに関連付けて記憶する手段と、
前記第２の通信インターフェイスを介して前記センサ本体が接続したことに応じて、前記センサ本体が検出した測定データを前記センサ本体から前記中継装置を介して受信する際に、前記センサ識別データを更に前記センサ本体から前記中継装置を介して受信する手段と、
受信した前記測定データを、受信した前記センサ識別データに基づいて、記憶した前記感度データに基づいて増幅して前記測定場所識別データに関連付けて記憶する手段と、を更に備える（１）又は（２）に記載のセンサシステム。
【００２３】
本発明のこのような構成によれば、前記センサ本体は、前記センサ本体を識別するためのセンサ識別データ（メーカ名、センサの種類、型式、製造番号、校正値等）を記憶し、前記端末は、前記測定データを増幅して記憶するための感度データを前記センサ識別データに関連付けて記憶し、前記通信インターフェイスを介して前記センサ本体が接続したことに応じて、前記センサ本体が検出した測定データを前記センサ本体から前記中継装置を介して受信する際に、前記センサ識別データを更に前記センサ本体から前記中継装置を介して受信し、受信した前記測定データを、受信した前記センサ識別データに基づいて、記憶した前記感度データに基づいて増幅して前記測定場所識別データに関連付けて記憶することができる、という作用を有する。
【００２４】
このことにより、前記端末は、接続するセンサ本体に応じて自動的にセンサの感度に応じた適切な増幅を行うことができる。
【００２５】
（４）  前記端末は、前記端末のユーザから、前記測定場所識別データをキーとして、記憶した前記測定データの選択操作を受け付けたことに応じて、前記選択操作により選択された前記測定データを出力（表示／スピーカから音響として出力等）する手段を更に備える（１）から（３）のいずれかに記載のセンサシステム。
【００２６】
本発明のこのような構成によれば、前記端末は、前記端末のユーザから、前記測定場所識別データをキーとして、記憶した前記測定データの選択操作を受け付けたことに応じて、前記選択操作により選択された前記測定データを出力することができる、という作用を有する。
【００２７】
このことにより、前記端末は、過去に測定して記憶したことのある測定データであって、前記測定場所識別データにより識別される測定場所の測定データを、その後随時指定して出力することができる。
【００２８】
前記端末は、当該出力の方法として、ディスプレイ（表示部２４０）に前記測定データに基づく波形を表示してもよいし、スピーカ（スピーカ部２６０）から例えば音響センサから受信した音、或いは振動センサから受信した信号を、音のファイルとして再生して出力してもよい。
【００２９】
（５）  接続ケーブルを介して接続可能なセンサ本体及び中継装置と、第２の通信インターフェイスを介して前記中継装置と接続可能な端末と、を含むセンサシステムであって、
前記中継装置は、前記接続ケーブルを介して接続された前記センサ本体による測定場所を識別するための測定場所識別データを記憶する手段と、前記センサ本体が検出する測定データと比較するための比較測定データを記憶する手段を備え、
前記端末は、前記第２の通信インターフェイスを介して前記中継装置と接続したことに応じて、前記センサ本体が検出した測定データを前記センサ本体から前記中継装置を介して受信する際に、前記測定場所識別データを更に前記中継装置から受信する手段と、
受信した前記測定データを、受信した前記測定場所識別データに関連付けて記憶する手段と、
前記端末のユーザからの操作を受け付けたことに応じて、前記比較測定データを前記中継装置から受信する手段と、
受信した前記比較測定データを出力する手段と、を備えるセンサシステム。
【００３０】
このような構成を有するセンサシステムによれば、（１）と同様の効果が期待できる。
【００３１】
（６）  前記中継装置は、前記接続ケーブルにより、前記センサ本体が設置された測定環境の外側に配置して接続可能である、（５）に記載のセンサシステム。
【００３２】
このような構成を有するセンサシステムによれば、（２）と同様の効果が期待できる。
【００３３】
（７）  前記中継装置は、前記接続ケーブルを介して接続された前記センサ本体を識別するためのセンサ識別データを記憶する手段を更に備え、
前記端末は、前記測定データを増幅して記憶するための感度データを前記センサ識別データに関連付けて記憶する手段と、
前記第２の通信インターフェイスを介して前記センサ本体が接続したことに応じて、前記センサ本体が検出した測定データを前記センサ本体から前記中継装置を介して受信する際に、前記センサ識別データを更に前記中継装置から受信する手段と、
受信した前記測定データを、受信した前記センサ識別データに基づいて、記憶した前記感度データに基づいて増幅して前記測定場所識別データに関連付けて記憶する手段と、を更に備える（５）又は（６）に記載のセンサシステム。
【００３４】
このような構成を有するセンサシステムによれば、（３）と同様の効果が期待できる。
【００３５】
（８）  前記端末は、前記端末のユーザから、前記測定場所識別データをキーとして、記憶した前記測定データの選択操作を受け付けたことに応じて、前記選択操作により選択された前記測定データを出力する手段を更に備える（５）から（７）のいずれかに記載のセンサシステム。
【００３６】
このような構成を有するセンサシステムによれば、（４）と同様の効果が期待できる。
【００３７】
（９）  第１の通信インターフェイス（第１の通信インターフェイス１２）を介して接続可能なセンサ本体（センサ本体１０）及び中継装置（中継装置１１）と、第２の通信インターフェイス（第２の通信インターフェイス３０）を介して前記中継装置と接続可能な端末（端末２０）と、を含むセンサシステムが測定する方法であって、
前記センサ本体は、前記センサ本体による測定場所を識別するための測定場所識別データ（測定点番号、測定点名称等）を記憶する手段を備え、
前記中継装置は、前記第１の通信インターフェイスを介して接続された前記センサ本体が検出する測定データと比較するための比較測定データを記憶する手段を備え、
前記端末が、前記第２の通信インターフェイスを介して前記中継装置と接続したことに応じて、前記センサ本体が検出した測定データを前記センサ本体から前記中継装置を介して受信する際に、前記測定場所識別データを更に前記センサ本体から前記中継装置を介して受信するステップと、
受信した前記測定データを、受信した前記測定場所識別データに関連付けて記憶するステップと、
前記端末のユーザからの操作を受け付けたことに応じて、前記比較測定データを前記中継装置から受信するステップと、
受信した前記比較測定データを出力（表示／スピーカから音響として出力等）するステップと、を含む方法。
【００３８】
このような構成を有する方法によれば、（１）と同様の効果が期待できる。
【００３９】
（１０）  前記中継装置は、前記第１の通信インターフェイスにより、前記センサ本体が設置された測定環境の外側から接続可能である、（９）に記載の方法。
【００４０】
このような構成を有する方法によれば、（２）と同様の効果が期待できる。
【００４１】
（１１）  前記センサ本体は、前記センサ本体を識別するためのセンサ識別データ（メーカ名、センサの種類、型式、製造番号、校正値等）を記憶する手段を更に備え、前記端末が、前記測定データを増幅して記憶するための感度データを前記センサ識別データに関連付けて記憶するステップと、前記通信インターフェイスを介して前記センサ本体が接続したことに応じて、前記センサ本体が検出した測定データを前記センサ本体から前記中継装置を介して受信する際に、前記センサ識別データを更に前記センサ本体から前記中継装置を介して受信するステップと、受信した前記測定データを、受信した前記センサ識別データに基づいて、記憶した前記感度データに基づいて増幅して前記測定場所識別データに関連付けて記憶するステップと、を更に含む（９）又は（１０）に記載の方法。
【００４２】
このような構成を有する方法によれば、（３）と同様の効果が期待できる。
【００４３】
（１２）  前記端末が、前記端末のユーザから、前記測定場所識別データをキーとして、記憶した前記測定データの選択操作を受け付けたことに応じて、前記選択操作により選択された前記測定データを出力（表示／スピーカから音響として出力等）するステップを更に含む（９）から（１１）のいずれかに記載のセンサシステム。
【００４４】
このような構成を有する方法によれば、（４）と同様の効果が期待できる。
【００４５】
（１３）  接続ケーブルを介して接続可能なセンサ本体及び中継装置と、第２の通信インターフェイスを介して前記中継装置と接続可能な端末と、を含むセンサシステムが測定する方法であって、
前記中継装置は、前記接続ケーブルを介して接続された前記センサ本体による測定場所を識別するための測定場所識別データを記憶する手段と、前記センサ本体が検出する測定データと比較するための比較測定データを記憶する手段を備え、
前記端末が、前記第２の通信インターフェイスを介して前記中継装置と接続したことに応じて、前記センサ本体が検出した測定データを前記センサ本体から前記中継装置を介して受信する際に、前記測定場所識別データを更に前記中継装置から受信するステップと、
受信した前記測定データを、受信した前記測定場所識別データに関連付けて記憶するステップと、
前記端末のユーザからの操作を受け付けたことに応じて、前記比較測定データを前記中継装置から受信するステップと、
受信した前記比較測定データを出力するステップと、を備える方法。
【００４６】
このような構成を有する方法によれば、（１）と同様の効果が期待できる。
【００４７】
（１４）  前記中継装置は、前記接続ケーブルにより、前記センサ本体が設置された測定環境の外側に配置して接続可能である、（１３）に記載の方法。
【００４８】
このような構成を有する方法によれば、（２）と同様の効果が期待できる。
【００４９】
（１５）  前記中継装置は、前記接続ケーブルを介して接続された前記センサ本体を識別するためのセンサ識別データを記憶する手段を更に備え、
前記端末が、前記測定データを増幅して記憶するための感度データを前記センサ識別データに関連付けて記憶するステップと、
前記第２の通信インターフェイスを介して前記センサ本体が接続したことに応じて、前記センサ本体が検出した測定データを前記センサ本体から前記中継装置を介して受信する際に、前記センサ識別データを更に前記中継装置から受信するステップと、
受信した前記測定データを、受信した前記センサ識別データに基づいて、記憶した前記感度データに基づいて増幅して前記測定場所識別データに関連付けて記憶するステップと、を更に含む（１３）又は（１４）に記載の方法。
【００５０】
このような構成を有する方法によれば、（３）と同様の効果が期待できる。
【００５１】
（１６）  前記端末が、前記端末のユーザから、前記測定場所識別データをキーとして、記憶した前記測定データの選択操作を受け付けたことに応じて、前記選択操作により選択された前記測定データを出力するステップを更に含む（１３）から（１５）のいずれかに記載の方法。
【００５２】
このような構成を有する方法によれば、（４）と同様の効果が期待できる。
【発明の効果】
【００５３】
本発明によれば、前記端末は、異なる測定場所に設置された複数種類のセンサ本体に逐次接続されて測定の用に供された場合にも、その都度測定場所識別データを前記センサ本体から受信して、当該測定場所識別データに関連付けて測定データを記憶するとともに、前記端末のユーザからの操作を受け付けたことに応じて、前記中継装置から受信した前記比較測定データを出力することができる。
【発明を実施するための最良の形態】
【００５４】
以下、本発明の実施形態について図面を参照して説明する。
［実施例１］
【００５５】
まず、図１に示すように、センサシステム１は、少なくとも１つのセンサ本体（例えば、ＴＥＤＳセンサ）１０、センサ本体１０に対応する中継装置１１及び端末（例えば、ＴＥＤＳシグナルコンディショナを有するアナライザ）２０を有している。図示の例では、複数のセンサ本体１０及び対応する中継装置１１が工場の生産設備等の予め規定された測定領域（測定環境）１５に配置され、センサ本体１０及び対応する中継装置１１は測定領域１３内においてそれぞれ測定場所を異ならせて配置されている。
【００５６】
ここで、測定領域１３とは、例えば、自動車や電気製品等の測定対象が設置された領域であり、この場合には、センサ本体１０は振動センサや音響センサの機能を有し、センサ本体１０がそれぞれ自動車等の各部（測定場所）に配置され、後述するようにして各部の振動や騒音を測定する。更に、測定領域１３は、工場等における生産設備に規定されることもある。いずれにしても、センサ本体１０によって測定領域１３における振動や騒音等の状態（以下環境状況と呼ぶ）が測定される。
【００５７】
センサ本体１０はそれぞれ第１の通信ケーブル（第１の通信インターフェイス）１２によって中継装置１１に接続される（第１の通信インターフェイス１２はセンサ本体１０及び中継装置１１に対して着脱可能である）。この中継装置１１は、例えば、測定領域１３の外に配置される。端末２０は複数の中継装置１１の１つと第２の通信ケーブル（第２の通信インターフェイス）３０によって逐次選択的に接続される。つまり、第２の通信インターフェイス３０は端末２０に連結され、その一端にはコネクタ部３０ａが備えられている。一方、各中継装置１１にはコネクタ部１１ａが備えられ、測定者は、複数の中継装置１１の１つを選択して、コネクタ部１１ａ及び３０ａを連結し、中継装置１１と端末２０とを接続する。
【００５８】
なお、図１に破線で示すように、測定者は第２の通信インターフェイス３０によって別の中継装置１１と端末２０とを接続し、測定領域の各部（測定場所）の環境状況を測定することになる。
【００５９】
また、本実施の形態において、第１の通信インターフェイス１２及び第２の通信インターフェイス３０は、通信ケーブル等で実現する例を説明したが、これは本実施の形態の一例に過ぎず、無線通信により実現してもよい。この場合、各センサ本体１０と中継装置１１及び端末２０は互いに異なる周波数による無線通信により逐次選択的に接続されてよい。端末２０は、図示のように、ハンディータイプであり、その表面にはキーボード態様の入力部２３０が配設され、更に、表示部（モニター）２４０が配設されている。そして、入力部２３０によって測定者は後述するように各種設定等を行い、表示部２４０に測定結果等が表示される。
【００６０】
図２に示すように、センサ本体１０は環境状況を測定するための測定部１１０と、後述するＴＥＤＳメモリ部１２０とを有し、中継装置１１には付加メモリ部１１１が備えられている。また、端末２０は、制御部２１０、記憶部２２０、キーボード等の入力部２３０、表示部（モニター／ディスプレイ）２４０、通信Ｉ／Ｆ部（通信インターフェイス部）２５０、及びスピーカ部２６０を備えており、これら各部はバス２０ａによって互いに接続されている。
【００６１】
前述の第２の通信インターフェイス３０は通信Ｉ／Ｆ部２５０に接続されており、図１に示すコネクタ部１１ａ及び３０ａを接続すると、通信Ｉ／Ｆ部２５０は第２の通信インターフェイス３０、中継装置１１、及び第１の通信インターフェイス１２を介してセンサ本体１０（つまり、測定部１１０及びＴＥＤＳメモリ部１２０）に接続される（なお、図示はしないが、端末２０にはＴＥＤＳシグナルコンディショナが備えられており、このＴＥＤＳシグナルコンディショナの機能を制御部２１０が有するようにしてもよい）。
【００６２】
ここで図３及び図４に示すように、ＴＥＤＳメモリ部１２０は、センサ識別データテーブル（例えば、ＰＲＯＭセグメント：６４ビットのメモリ容量）を有し、このセンサ識別データテーブルには、製造メーカ名、センサの種類（図示の例では、音響センサ）、型式、及びシリアル番号等が記憶される。なお、このセンサ識別データテーブルは製造メーカによって生成され、ＴＥＤＳメモリ部１２０に記録される。
【００６３】
図２に示すＴＥＤＳメモリ部１２０にはユーザ使用領域が規定されており、このユーザ使用領域は、例えば、ＥＥＰ−ＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）セグメントであり、そのメモリ容量は２５６ビットである。そして、このユーザ使用領域には、図４に示す測定場所識別データテーブルが格納される。図示の例においては、測定場所識別データテーブルには、センサ本体１０が配置された測定場所を識別するための測定点番号及び測定点名称等が記憶される。また、付加メモリ部１１１は、ＴＥＤＳメモリ部１２０よりも容量の大きい記憶装置によって構成し、ＴＥＤＳメモリ部１２０に記憶することができない大容量のデータを記憶することができる。
【００６４】
ところで、図示はしないが、図２に示す測定部１１０はセンサ部とこのセンサ部に接続されたアンプ部（増幅部）とを有しており、端末２０と中継装置１１とが接続された際、端末２０から（つまり、ＴＥＤＳシグナルコンディショナによって）中継装置１１を介してセンサ本体１０に正のバイアス電圧が印加されると、図示しないダイオードの分離機能によって、センサ本体１０は測定モード（アナログモード）となって、測定部１１０で測定された測定結果（測定データ）を示すアナログ信号がアンプ部で増幅されて、中継装置１１を介して端末２０に与えられる。
【００６５】
なお、後述するように、中継装置１１において測定データはデジタル信号に変換されて、比較測定データとして付加メモリ部１１１に格納される。つまり、測定を行う都度、付加メモリ部１１１には測定データが比較測定データとして記憶されることになる。
【００６６】
一方、端末２０から負のバイアス電圧がセンサ本体１０に印加されると、センサ本体１０はデジタルモード（メモリ読み書き可能モード）なり、端末２０から中継装置１１を介してＴＥＤＳメモリ部１２０をアクセス可能となる。また、測定モード（アナログモード）で測定を実施する際に、端末２０において上述の測定結果（測定データ）を示すアナログ信号のアナログ／デジタル変換（Ａ／Ｄ変換）を実施し、その後デジタルモード（メモリ読み書き可能モード）に切り替えて、変換後のデジタル信号データを中継装置１１の付加メモリ部１１１に格納してもよい。いずれにしても、付加メモリ部１１１へのアクセスは、ＴＥＤＳメモリ部へのアクセスと同様の技術により実現されてよい。
【００６７】
ここで、図５に示すように、上述したセンサシステム１を用いて予め規定された測定領域の環境状況の測定について説明する。まず、測定者は端末２０を第２の通信インターフェイス３０によって中継装置１１の１つに接続する（ステップＳ１１）。測定者が入力部２３０によってデジタルモード設定を行うと、端末２０は負のバイアス電圧を、中継装置１１を介してセンサ本体１０に印加し、センサ本体１０をデジタルモードとする。これによって、センサ本体１０中のＴＥＤＳメモリ部１２０がアクセス可能となる。
【００６８】
続いて、制御部２１０では、通信Ｉ／Ｆ部２５０を介してＴＥＤＳメモリ部１２０にアクセスし、ＴＥＤＳメモリ部１２０に格納されたセンサ識別テーブル及び測定場所識別データテーブルのセンサ識別データ及び測定場所識別データを読み出して、これらセンサ識別データ及び測定場所識別データを受信する（ステップＳ１２）。
【００６９】
端末２０において、記憶部２２０には、センサ本体毎の校正データ（感度データ）が記憶されており（センサ本体１０は製造誤差等に起因してその感度が異なることがあり、予め同一の環境下でその感度を測定し、感度データとして記憶部２２０にセンサ識別データに関連付けて記憶しておく）、制御部２１０はセンサ識別データを受けると、当該センサ識別データに関連する感度データを記憶部２２０から読み出して、感度データに応じて当該センサ本体１０に対する感度を自身（制御部２１０）に設定する（ステップＳ１３）。
【００７０】
上述のようにして、感度が設定されると、制御部２１０はセンサ本体１０をアナログモードとする。前述したように、アナログモードとなると、センサ本体１０の測定部１１０で測定された測定場所の測定データ（例えば、振動測定データ）が、第１の通信インターフェイス１２、中継装置１１、及び第２の通信インターフェイス３０を介して通信Ｉ／Ｆ部２５０に与えられ、通信Ｉ／Ｆ部２５０は当該測定データを制御部２１０に渡す。なお、測定データはアナログ信号であるので、例えば、通信Ｉ／Ｆ部２５０でアナログ−デジタル（Ａ／Ｄ）変換されて、デジタルデータとして制御部２１０に与えられることになる（ステップＳ１４）。この際、中継装置１１（付加メモリ部１１１）には測定データが測定場所識別データ（つまり、測定点）と関連付けられ、比較測定データとして記憶されることになる（付加メモリ部１１１には測定の都度測定データが比較測定データとして記録される）。
【００７１】
制御部２１０では、測定データを受けると、測定場所識別データに関連付けて当該測定データを現測定データ（以下単に測定データという）として記憶部２２０に格納する（ステップＳ１５）。
なお、この測定場所識別データはセンサ識別データに関連付けられる。
【００７２】
より具体的には、例えば、測定レンジの設定、デジタルＬＰＦ（Ｌｏｗ  Ｐａｓｓ  Ｆｉｌｔｅｒ）／デジタルＨＰＦ（Ｈｉｇｈ  Ｐａｓｓ  Ｆｉｌｔｅｒ）の選択を行い、デジタルゲインを最適化して測定を行う。
【００７３】
次に、前述したように、記憶部２２０には、センサ識別データが記録されており、１つのセンサ本体１０による測定が終了すると、記憶部２２０を検索して全てのセンサ識別データに関連するセンサ本体１０について測定を行ったか否かを判定する（つまり、全測定場所について測定が完了したか否かを判定する：ステップＳ１６）。或いは、端末２０のユーザからの操作を受け付けることにより、引き続き測定を行うか否かを判定してもよい。
【００７４】
全ての測定場所について測定が終了していないと、制御部２１０はその旨表示部２４０に表示するか又はスピーカ部２６０によって報知して、ステップＳ１１に戻る。なお、測定データの取得は予め設定された時間（例えば、測定者によって入力部２３０から設定される）に亘って行われ、この予め規定された時間が経過した後、制御部２１０は全ての測定場所について測定が終了したか否かを判定することになる。
【００７５】
測定者は全ての測定場所について測定が完了していない旨の報知を受けた後、コネクタ部３０ａをコネクタ部１１ａから外して、別の中継装置１１のコネクタ部１１ａに接続する。そして、前述したようにして、制御部２１０は当該測定場所に係る測定データを得て、測定場所識別データに関連付けて記憶部２２０に記憶する。
【００７６】
このようにして、全測定場所について測定データを得て、測定場所識別データに関連付けて記憶部２２０に記憶すると、制御部２１０はその旨表示部２４０に表示するか又はスピーカ部２６０から報知し、処理を終了する。なお、記憶部２２０には新たな測定データが入力される度に当該測定データが測定場所識別データと関連付けて記憶され、中継装置１１の付加メモリ部１１１には、そのうち、比較測定データとして残しておきたい測定データを測定場所識別データと関連付けて蓄積していくこともできる。
【００７７】
以上のように、測定場所（つまり、測定場所識別データ）に関連付けて測定データを記憶部２２０に記憶するようにしたので、端末２０を、中継装置１１を介して異なる測定場所に設置された複数のセンサ本体１０に逐次接続して測定した測定データを分析処理する際、自動的に測定場所毎に整理された状態で測定データを提供することができるという効果がある。つまり、測定場所に関連付けて測定データを記憶するようにしたので、測定場所毎に測定データの整理が容易に行えるという効果がある。更に、当該測定データのうち、将来の比較のために残しておきたい測定データを付加メモリ部１１１に蓄積しておくことにより、端末２０を中継装置１１及びセンサ本体１０から切り離した後においても、次に前回とは異なる端末２０を第２の通信インターフェイスを介して中継装置１１に接続して測定を実施する際に、いつでも比較のための測定データを付加メモリ部１１１から読み出して端末２０が出力することができるという効果がある。
【００７８】
更に、端末２０では、センサ識別データで規定されるセンサ本体毎にその感度を補正するようにしたので、センサ本体１０の個体差に起因する誤差を補正することができ、その結果、測定場所毎に精度の高い測定データを得ることができるという効果がある。
【００７９】
続いて、上述のようにして端末２０の記憶部２２０に記憶した測定データの処理について説明する。
【００８０】
図６に示すように、記憶部２２０に記憶した測定データを出力処理する際には、ユーザは入力部２３０から測定データ出力コマンドを入力したり、所定のボタンを押下したりするとともに、出力したい測定データの測定場所識別データを選択入力する。これによって、制御部２１０は測定データの選択を受け付けて（ステップＳ２１）、測定データ出力コマンドを応答して、測定場所識別データに関連する測定データを表示部２４０に表示する（必要に応じて、スピーカ部２６０から音響として出力するようにしてもよい）（ステップＳ２２）。
【００８１】
続いて、制御部２１０では、入力部２３０から入力された全ての測定場所識別データに関連する測定データを出力したか否かを判定し（ステップＳ２３）、全ての測定データを出力していないと、ステップＳ２１に戻って出力処理を続行する。或いは、端末２０のユーザからの操作を受け付けることにより、引き続き測定データの出力を行うか否かを判定してもよい。一方、全ての測定場所識別データに関連する測定データを出力していると、制御部２１０は出力処理を終了する。
【００８２】
なお、測定データを出力する際には、例えば、表示部２４０に測定データを波形として表示するようにしてもよく、更には、測定データが、音響センサで測定した騒音等である際には、スピーカ部２６０から音響として出力するようにしてもよい。
【００８３】
ここで、前述したように、中継装置１１の付加メモリ部１１１には、測定データが比較測定データとして記憶されている。つまり、過去の測定データが比較測定データとして付加メモリ部１１１に記憶されている。ところで、中継装置１１自体は特定のセンサ本体１０と必ず接続されるわけではなく、別のセンサ本体と接続されることもある。言い換えると、各中継装置１１は測定場所（測定点）が異なるセンサ本体１０に接続されることもある。従って、中継装置１１に備えられた付加メモリ部１１１には、図７に示す比較データテーブルが備えられ、この比較データテーブルに測定点毎に過去の測定データが記録される。
【００８４】
いま、端末２０と中継装置１１の１つが第２の通信インターフェイス３０で接続された状態にあるものとする。図８に示すように、ユーザが、入力部２３０から比較測定データ出力コマンドを入力したり、所定のボタンを押下したりするととともに、出力したい比較測定データの測定場所識別データを入力する。これによって、制御部２１０は比較測定データの出力操作を受け付けて（ステップＳ３１）、この比較測定データ出力コマンドに応答して、中継装置１１の付加メモリ部１１１を第２の通信インターフェイス３０を介してアクセスする。つまり、制御部２１０は付加メモリ部１１１から当該測定場所識別データで示される測定点に関連する比較データを読み出して（ステップＳ３２）、この比較測定データを表示部２４０に出力・表示する（必要に応じて、スピーカ部２６０から音響として出力するようにしてもよい）（ステップＳ３３）。
【００８５】
続いて、制御部２１０は、入力部２３０により選択された全ての測定場所識別データに関連する比較測定データを読み出したか否かを判定し（ステップＳ３４）、全ての比較測定データを読み出していないと、ステップＳ３１に戻って比較測定データ出力処理を続行する（この際、ユーザは別の中継装置１１に第２の通信インターフェイス３０を繋ぎかえることもある）。或いは、端末２０のユーザからの操作を受け付けることにより、引き続き比較測定データの読み出しを行うか否かを判定してもよい。一方、全ての測定場所識別データに関連する比較測定データを読み出すと、制御部２１０は比較測定データ出力処理を終了する。
【００８６】
上述のようにして、測定場所毎に測定データを中継装置に比較測定データとして記憶しておき、必要に応じて読み出すようにすれば、ユーザは、比較測定データと当該測定場所における測定データとを比較することによって、経年的な変化を容易に把握することができる。つまり、ユーザは比較測定データと現在の測定データとを比較しつつ、出力される波形や音響の相違に応じて、当該測定場所における現在の測定データが正常であるか否かを容易に判断することができることになる。
【００８７】
更に、中継装置１１に過去の測定データを比較測定データとして記憶するようにしたので、測定データの検討を行う際には必要に応じて中継装置１１から比較測定データを読み出すようにすればよく、記憶部２２０のメモリ容量を低減することもできる。このように、ユーザは測定場所識別データによって測定場所を指定して、中継装置１１に記憶された比較測定データを端末２０に表示させることができる。この結果、端末２０においては、同一測定場所について時系列的に比較測定データ（つまり、過去の測定データ）を中継装置１１から読み出して出力することができることになる。また、比較測定データを出力する際には、例えば、表示部２４０に波形として表示するようにしてもよく、更には、音響センサで測定した騒音等である際には、スピーカ部２６０から音響として出力するようにしてもよい。このようにすることにより、ユーザは比較測定データと現在の測定データとを比較しつつ、出力される波形や音響の相違に基づいた分析を測定現場で行うことができ、定点観測を行う場合に有効である。
【００８８】
ここで、図１１を参照すると、図１１は、記憶部２２０（図２）に保存（登録；記憶）された測定データを説明するための図であり、ユーザから入力部２３０が測定ポイント（測定場所）一覧表示の指令の入力を受け付けると、制御部２１０の制御下で表示部２４０に測定ポイント一覧が表示される。図示の例では、測定ポイントとして純水ポンプホルダー４０が表示されており、この純水ポンプホルダー４０を開くと、下位のホルダーが現れる。そして、例えば、♯１０１−Ｘで示すホルダーを開くと詳細表示４２が現れ、詳細表示４２中の項目を開くと、更に、詳細表示が表示部２４０上に現れる。図示の例においては、測定データ１を開くと、詳細表示４３としてＡ  ＢＡＮＤ、Ｂ  ＢＡＮＤ、及びＣ  ＢＡＮＤのそれぞれの測定値及び判定結果が表示される。同様に、Ａ  ＢＡＮＤ判定方法を開くと、詳細表示４４として、ＪＩＳ  Ｂ  ０９０７規格に基づく判定基準が表示される。同様に、Ｂ  ＢＡＮＤ判定方法を開くと、詳細表示４５として、相対判定の判定基準が表示される。同様にＣ  ＢＡＮＤ判定方法を開くと、詳細表示４６として、周波数判定の判定基準が表示される。このように、各測定データは、ツリー構造形式で記憶部２２０に保存（記憶）されてよい。
【００８９】
続いて、センサ本体１０が振動センサの出力を音で聞く音響センサを備え、前述の比較測定データとして異音データを中継装置１１に記憶した場合の例について説明する。図１２は、ユーザが入力部２３０から異音データ一覧表示を指示した際、制御部２１０の制御下で表示部２４０に表示される異音データ一覧を示す図であり、ここでは、ボールベアリングの異音データ一覧が示されている。そして、ボールベアリングホルダー５０を開くと、例えば、フレーキングホルダー５１、圧こんホルダー５２、及び電食ホルダー５３が現れる。このように、各異音データは、ツリー構造形式で中継装置１１の付加メモリ部１１１に保存（記憶）されてよい。
【００９０】
図１３は、図１１で説明した測定ポイント一覧の例を概略的に示す図であるので、ここでは、説明を省略する。また、図１４は加速度ピックアップの感度表一覧を示す図であり、ここでは、測定場所毎に配置された加速度ピックアップの感度（校正データ）が登録されている。つまり、加速度ピックアップホルダー６０を開くと、各加速度ピックアップのホルダー６１〜６３等が表示部２４０上に現れる。このように、各校正データは、ツリー構造形式で記憶部２２０に保存（記憶）されてよい。
【００９１】
ここで、図１５を参照して、生産設備等の測定領域における異常振動の判定について、説明する。なお、ここでは、図１及び図２に関連して説明したセンサシステム１が用いられ、測定領域の各測定場所にセンサ本体１０が配置されるものとする。
【００９２】
異常振動の判定を行う際には、まず、判定基準の登録が行われる（ステップＳ４１）。具体的には、各測定場所について判定基準を示す基準測定データ（比較測定データ）が記憶部２２０に登録される。続いて、測定計画リストを編成した後（ステップＳ４２）、この測定計画リストを端末２０に書き込む（ステップＳ４３）。そして、異常振動の測定及び判定は、この測定計画リストに応じて、測定者が実行する。
【００９３】
異常振動の測定及び判定を行う際には、まず、簡易診断・簡易測定が行われる。図１及び図２で説明したようにして、各測定場所についてセンサ本体１０によって各測定場所の振動が測定され（ステップＳ４４）、制御部２１０では振動測定データを受信する都度、前述の基準測定データと比較して、予め規定された閾値の範囲であるか否かを判定する。つまり、振動測定データが正常値であるか否かを判定する（ステップＳ４５）。
【００９４】
いま、振動測定値が正常値であると、制御部２１０は全ての測定場所について振動測定データと基準測定データとの比較を完了したか否かを判定して（ステップＳ４６）、全ての測定場所について完了すると、制御部２１０は図１及び図２で説明したようにして、測定場所識別データに関連付けて振動測定データとして記憶部２２０に記録する（ステップＳ４７）。
【００９５】
一方、ステップＳ４６で全ての測定場所について終了していないと、制御部２１０はステップＳ４４に戻って処理を続行する。また、ステップＳ４５で制御部２１０は振動測定データが正常値でないと判定すると、表示部２４０にその旨表示して（スピーカ部２６０でも報知するようにしてもよい）、精密診断・精密測定に移行する。この精密診断・精密測定においては、例えば、振動測定データに応じた振動波形を採取し（ステップＳ４８）、この振動波形を、高速フーリエ変換（ＦＦＴ）等によって解析して解析結果を得る（ステップＳ４９）。
【００９６】
そして、制御部２１０では解析結果が正常値の範囲にあるか否かを判定する（ステップＳ５０）。解析結果が正常値の範囲にあると、制御部２１０はステップＳ４６に移行し、一方、解析結果が異常であると（正常値の範囲にないと）、制御部２１０はその旨表示部２４０に表示する等する。これによって、測定者は、別の機器等を用いて異常診断分析を行うことになる（ステップＳ５１）。そして、この異常診断分析に応じて、例えば、修理・修繕計画が策定される（ステップＳ５２）。
【００９７】
なお、ステップＳ４７で記憶部２２０に保存（記憶）された振動測定データは、例えば、後日パソコン等に転送され（ステップＳ５３）、前述した修理・修繕計画の策定に用いられる。
【００９８】
図１６は測定作業を行う際の作業の流れの一例を示す図であり、ここでは詳細に説明はしないが、例えば、測定作業は、測定準備、確認（前）、測定、解析、判定、保存（記憶）、確認（後）、管理の順に行われる。測定準備においては、測定点（測定場所）の登録、測定場所の決定、及び感度設定等が行われる。
【００９９】
確認（前）において、図１６に示す処置が行われて、図示の例では、測定において、振動音の確認、温度の測定、及び振動値の測定が行われる。そして、解析において、周波数及び振動レベルの確認等が行われて、判定において、例えば、ＪＩＳ及びＩＳＯによる比較判定が行われる。
【０１００】
続いて、保存（記憶）においては、例えば、振動値の保存及び波形の保存等が行われる（ここでは、図２に示す記憶部２２０への保存（記憶）に加えて、例えば、メモリカード等への保存（記憶）も行われている）。そして、確認（後）において、振動値の確認及び振動波形の確認等を行って、管理において、パソコン（ＰＣ）への転送等を行う。
［実施例２］
【０１０１】
次に、上述の実施例１において、ＴＥＤＳメモリ部をセンサ本体１０ではなく、中継装置１１側に配置した場合の実施形態の一例について、実施例２として説明する。
【０１０２】
まず、ハードウェアの概要構成については、実施例１で説明した図１に示したものと同様であるが、本実施例においては、センサ本体１０と中継装置１１は、接続ケーブル１３を介して固定的に接続される。
【０１０３】
図９に示すように、センサ本体１０は環境状況を測定するための測定部１１０を有し、中継装置１１には付加メモリ部１１１、及び後述するＴＥＤＳメモリ部１１２が備えられている。また、端末２０は、制御部２１０、記憶部２２０、キーボード等の入力部２３０、表示部（モニター／ディスプレイ）２４０、通信Ｉ／Ｆ部（通信インターフェイス部）２５０、及びスピーカ部２６０を備えており、これら各部はバス２０ａによって互いに接続されている。
【０１０４】
前述の第２の通信インターフェイス３０は通信Ｉ／Ｆ部２５０に接続されており、図１に示すコネクタ部１１ａ及び３０ａを接続すると、通信Ｉ／Ｆ部２５０は第２の通信インターフェイス３０、中継装置１１、及び接続ケーブル１３を介してセンサ本体１０（つまり、測定部１１０）に接続される（なお、図示はしないが、端末２０にはＴＥＤＳシグナルコンディショナが備えられており、このＴＥＤＳシグナルコンディショナの機能を制御部２１０が有するようにしてもよい）。
【０１０５】
ここで図３及び図４に示すように、ＴＥＤＳメモリ部１１２は、センサ識別データテーブル（例えば、ＰＲＯＭセグメント：６４ビットのメモリ容量）を有し、このセンサ識別データテーブルには、製造メーカ名、センサの種類（図示の例では、音響センサ）、型式、及びシリアル番号等が記憶される。なお、このセンサ識別データテーブルは製造メーカによって生成され、ＴＥＤＳメモリ部１１２に記録される。
【０１０６】
図９に示すＴＥＤＳメモリ部１１２にはユーザ使用領域が規定されており、このユーザ使用領域は、例えば、ＥＥＰ−ＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）セグメントであり、そのメモリ容量は２５６ビットである。そして、このユーザ使用領域には、図４に示す測定場所識別データテーブルが格納される。図示の例においては、測定場所識別データテーブルには、センサ本体１０が配置された測定場所を識別するための測定点番号及び測定点名称等が記憶される。また、付加メモリ部１１１は、ＴＥＤＳメモリ部１１２よりも容量の大きい記憶装置によって構成し、ＴＥＤＳメモリ部１１２に記憶することができない大容量のデータを記憶することができる。
【０１０７】
ところで、図示はしないが、図９に示す測定部１１０はセンサ部とこのセンサ部に接続されたアンプ部（増幅部）とを有しており、端末２０と中継装置１１とが接続された際、端末２０から（つまり、ＴＥＤＳシグナルコンディショナによって）中継装置１１を介してセンサ本体１０に正のバイアス電圧が印加されると、図示しないダイオードの分離機能によって、センサ本体１０は測定モード（アナログモード）となって、測定部１１０で測定された測定結果（測定データ）を示すアナログ信号がアンプ部で増幅されて、中継装置１１を介して端末２０に与えられる。
【０１０８】
なお、後述するように、中継装置１１において測定データはデジタル信号に変換されて、比較測定データとして付加メモリ部１１１に格納される。つまり、測定を行う都度、付加メモリ部１１１には測定データが比較測定データとして記憶されることになる。
【０１０９】
一方、端末２０から負のバイアス電圧がセンサ本体１０に印加されると、センサ本体１０及び中継装置１１はデジタルモード（メモリ読み書き可能モード）なり、端末２０から中継装置１１のＴＥＤＳメモリ部１１２をアクセス可能となる。また、測定モード（アナログモード）で測定を実施する際に、端末２０において上述の測定結果（測定データ）を示すアナログ信号のアナログ／デジタル変換（Ａ／Ｄ変換）を実施し、その後デジタルモード（メモリ読み書き可能モード）に切り替えて、変換後のデジタル信号データを中継装置１１の付加メモリ部１１１に格納してもよい。いずれにしても、付加メモリ部１１１へのアクセスは、ＴＥＤＳメモリ部へのアクセスと同様の技術により実現されてよい。
【０１１０】
ここで、図１０に示すように、上述したセンサシステム１を用いて予め規定された測定領域の環境状況の測定について説明する。まず、測定者は端末２０を第２の通信インターフェイス３０によって中継装置１１の１つに接続する（ステップＳ１１１）。測定者が入力部２３０によってデジタルモード設定を行うと、端末２０は負のバイアス電圧を、中継装置１１を介してセンサ本体１０に印加し、センサ本体１０をデジタルモードとする。これによって、中継装置１１のＴＥＤＳメモリ部１１２がアクセス可能となる。
【０１１１】
続いて、制御部２１０では、通信Ｉ／Ｆ部２５０を介してＴＥＤＳメモリ部１１２にアクセスし、ＴＥＤＳメモリ部１１２に格納されたセンサ識別テーブル（測定データの増幅の幅を決定するための校正データを含む）及び測定場所識別データテーブルのセンサ識別データ及び測定場所識別データを読み出して、これらセンサ識別データ及び測定場所識別データを受信する（ステップＳ１１２）。
【０１１２】
端末２０において、記憶部２２０には、上述のようにＴＥＤＳメモリ部１１２から読み出したセンサ本体毎の校正データ（感度データ）が記憶されており（センサ本体１０は製造誤差等に起因してその感度が異なることがあり、予め同一の環境下でその感度を測定し、感度データとして記憶部２２０にセンサ識別データに関連付けて記憶しておく）、制御部２１０はセンサ識別データを受けると、当該センサ識別データに関連する感度データを記憶部２２０から読み出して、感度データに応じて当該センサ本体１０に対する感度を自身（制御部２１０）に設定する（ステップＳ１１３）。
【０１１３】
上述のようにして、感度が設定されると、制御部２１０はセンサ本体１０をアナログモードとする。前述したように、アナログモードとなると、センサ本体１０の測定部１１０で測定された測定場所の測定データ（例えば、振動測定データ）が、接続ケーブル１３、中継装置１１、及び第２の通信インターフェイス３０を介して通信Ｉ／Ｆ部２５０に与えられ、通信Ｉ／Ｆ部２５０は当該測定データを制御部２１０に渡す。なお、測定データはアナログ信号であるので、例えば、通信Ｉ／Ｆ部２５０でアナログ−デジタル（Ａ／Ｄ）変換されて、デジタルデータとして制御部２１０に与えられることになる（ステップＳ１１４）。この際、中継装置１１（付加メモリ部１１１）には測定データが測定場所識別データ（つまり、測定点）と関連付けられ、比較測定データとして記憶されることになる（付加メモリ部１１１には測定の都度測定データが比較測定データとして記録される）。
【０１１４】
制御部２１０では、測定データを受けると、測定場所識別データに関連付けて当該測定データを現測定データ（以下単に測定データという）として記憶部２２０に格納する（ステップＳ１１５）。なお、この測定場所識別データはセンサ識別データに関連付けられる。前述したように、記憶部２２０には、センサ識別データが記録されており、１つのセンサ本体１０による測定が終了すると、記憶部２２０を検索して全てのセンサ識別データに関連するセンサ本体１０について測定を行ったか否かを判定する（つまり、全測定場所について測定が完了したか否かを判定する：ステップＳ１１６）。或いは、端末２０のユーザからの操作を受け付けることにより、引き続き測定を行うか否かを判定してもよい。
【０１１５】
全ての測定場所について測定が終了していないと、制御部２１０はその旨表示部２４０に表示するか又はスピーカ部２６０によって報知して、ステップＳ１１１に戻る。なお、測定データの取得は予め設定された時間（例えば、測定者によって入力部２３０から設定される）に亘って行われ、この予め規定された時間が経過した後、制御部２１０は全ての測定場所について測定が終了したか否かを判定することになる。
【０１１６】
測定者は全ての測定場所について測定が完了していない旨の報知を受けた後、コネクタ部３０ａをコネクタ部１１ａから外して、別の中継装置１１のコネクタ部１１ａに接続する。そして、前述したようにして、制御部２１０は当該測定場所に係る測定データを得て、測定場所識別データに関連付けて記憶部２２０に記憶する。
【０１１７】
このようにして、全測定場所について測定データを得て、測定場所識別データに関連付けて記憶部２２０に記憶すると、制御部２１０はその旨表示部２４０に表示するか又はスピーカ部２６０から報知し、処理を終了する。なお、記憶部２２０には新たな測定データが入力される度に当該測定データが測定場所識別データと関連付けて記憶され、中継装置１１の付加メモリ部１１１には、そのうち、比較測定データとして残しておきたい測定データを測定場所識別データと関連付けて蓄積していくこともできる。
【０１１８】
以上のように、測定場所（つまり、測定場所識別データ）に関連付けて測定データを記憶部２２０に記憶するようにしたので、端末２０を、中継装置１１を介して異なる測定場所に設置された複数のセンサ本体１０に逐次接続して測定した測定データを分析処理する際、自動的に測定場所毎に整理された状態で測定データを提供することができるという効果がある。つまり、測定場所に関連付けて測定データを記憶するようにしたので、測定場所毎に測定データの整理が容易に行えるという効果がある。更に、当該測定データのうち、将来の比較のために残しておきたい測定データを付加メモリ部１１１に蓄積しておくことにより、端末２０を中継装置１１及びセンサ本体１０から切り離した後においても、次に前回とは異なる端末２０を第２の通信インターフェイスを介して中継装置１１に接続して測定を実施する際に、いつでも比較のための測定データを付加メモリ部１１１から読み出して端末２０が出力することができるという効果がある。
【０１１９】
更に、端末２０では、センサ識別データで規定されるセンサ本体毎にその感度を補正するようにしたので、センサ本体１０の個体差に起因する誤差を補正することができ、その結果、測定場所毎に精度の高い測定データを得ることができるという効果がある。
【０１２０】
以下、図６乃至図８に示す測定データ出力処理及び比較データ出力処理並びに、図１０乃至図１６については上述の実施例１と同様であるので説明を省略する。
【０１２１】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【０１２２】
【図１】本発明の実施の形態によるセンサシステムの一例の構成を示す図である。
【図２】図１に示すセンサ本体、中継装置、及び端末の機能構成を示すブロック図である。
【図３】図１に示すセンサ本体及び端末に登録されるセンサ識別データテーブルの一例を示す図である。
【図４】図１に示すセンサ本体及び端末に登録される測定場所識別データテーブルの一例を示す図である。
【図５】図１に示すセンサシステムを用いた測定処理を説明するためのフローチャートである。
【図６】図１に示すセンサシステムを用いた測定データ出力処理を説明するためのフローチャートである。
【図７】図１に示す中継装置の付加メモリ部に格納される比較データテーブルの一例を示す図である。
【図８】図１に示すセンサシステムを用いた比較測定データ出力処理を説明するためのフローチャートである。
【図９】図１に示す別のセンサ本体、中継装置、及び端末の別の機能構成を示すブロック図である。
【図１０】図１に示すセンサシステムを用いた測定処理の別の実施例を説明するためのフローチャートである。
【図１１】図１に示す端末に保存（記憶）される測定場所（測定ポイント）一覧と測定データとの保存とを詳細に示す図である。
【図１２】図１に示す端末における異音データの管理及び検索を概略的に示す図である。
【図１３】図１に示す端末における測定場所管理を示す図である。
【図１４】図１に示す端末においてセンサの１つである加速度ピックアップ（振動センサ）の感度管理の一例を示す図である。
【図１５】図１に示すセンサシステムを用いた異常振動判定を説明するためのフローチャートである。
【図１６】図１に示すセンサシステムを用いた際の作業手順の一例を示す図である。
【符号の説明】
【０１２３】
１  センサシステム
１０  センサ本体
１１  中継装置
２０  端末
１２，３０  通信ケーブル（通信インターフェイス）
１３  接続ケーブル
１１０  測定部
１２０  ＴＥＤＳメモリ部
１１１  付加メモリ部
２１０  制御部
２２０  記憶部
２３０  入力部
２４０  表示部
２５０  通信Ｉ／Ｆ部
２６０  スピーカ部
【図１】
2008171284.tif 000003
【図２】
2008171284.tif 000004
【図３】
2008171284.tif 000005
【図４】
2008171284.tif 000006
【図５】
2008171284.tif 000007
【図６】
2008171284.tif 000008
【図７】
2008171284.tif 000009
【図８】
2008171284.tif 000010
【図９】
2008171284.tif 000011
【図１０】
2008171284.tif 000012
【図１１】
2008171284.tif 000013
【図１２】
2008171284.tif 000014
【図１３】
2008171284.tif 000015
【図１４】
2008171284.tif 000016
【図１５】
2008171284.tif 000017
【図１６】
2008171284.tif 000018